(57)【要約】【課題】日常的に被測定者自身が測定することに好適で、かつ、充分な推定の精度を得ることが可能な体脂肪量推定方法を提供する。【解決手段】体脂肪量の推定方法において、被推定者の胴体の正面の幅方向の長さである第一長さを測定する第一長さ測定工程（ステップＳ４０３）と、胴体の側面の厚さ方向の長さである第二長さを測定する第二長さ測定工程（ステップＳ４０３）と、第一長さ及び第二長さから、胴体に含まれる体脂肪量を推定する体脂肪量推定工程（ステップＳ４０４）と、を実行する【選択図】図３
2018198800.tif 000002
【特許請求の範囲】
【請求項１】
対象の胴体の正面の幅方向の長さである第一長さを測定する第一長さ測定工程と、
前記胴体の側面の厚さ方向の長さである第二長さを測定する第二長さ測定工程と、
前記第一長さ及び前記第二長さから、前記胴体に含まれる体脂肪量を推定する体脂肪量推定工程と、
を含む、体脂肪量推定方法。
【請求項２】
前記第一長さ測定工程及び前記第二長さ測定工程の少なくとも一方は、前記胴体に当接する一または複数の当接部材の二点間の間隔を測定する、請求項１に記載の体脂肪量推定方法。
【請求項３】
前記当接部材が前記体脂肪量推定工程において体脂肪量が推定される前記対象の一対の手であり、前記第一長さ測定工程及び前記第二長さ測定工程は、前記一対の手の特定の部分間の間隔を測定する、請求項２に記載の体脂肪量推定方法。
【請求項４】
前記胴体を含む範囲を撮像する撮像工程をさらに含み、
前記第一長さ測定工程及び前記第二長さ測定工程は、前記撮像工程によって取得された画像に係る情報から前記第一長さまたは前記第二長さを測定する、請求項１から３のいずれか一項に記載の体脂肪量推定方法。
【請求項５】
前記体脂肪量推定工程は、
前記第一長さ、
前記第二長さ、
及び前記第一長さまたは前記第二長さに基づくパラメータの少なくとも一つと、体脂肪量と、の関係を示す関係情報から前記体脂肪量を推定する、請求項１から４のいずれか一項に記載の体脂肪量推定方法。
【請求項６】
前記関係情報は、予め定められた演算式であり、
前記体脂肪量推定工程は、
前記第一長さ、
前記第二長さ、
及び前記第一長さまたは前記第二長さに基づくパラメータの少なくとも一つを、前記演算式に代入する、請求項５に記載の体脂肪量推定方法。
【請求項７】
前記演算式は、長軸の長さが前記第一長さ、短軸の長さが前記第二長さの楕円の面積と前記体脂肪量との関係を示す、請求項６に記載の体脂肪量推定方法。
【請求項８】
前記関係情報は、前記第一長さ、前記第二長さ、及び前記第一長さまたは前記第二長さに基づくパラメータの少なくとも一つと、体脂肪量とを対応付けるテーブルであり、
前記体脂肪量推定工程は、
前記第一長さ、
前記第二長さ、
及び前記第一長さまたは前記第二長さに基づくパラメータの少なくとも一つを、前記テーブルに対照する、請求項５に記載の体脂肪量推定方法。
【請求項９】
前記体脂肪量推定工程は、
前記第一長さ及び前記第二長さから、前記胴体の周長を推定する周長推定工程をさらに含む、請求項１から８のいずれか一項に記載の体脂肪量推定方法。
【請求項１０】
対象の胴体の正面の幅方向の長さである第一長さを測定する第一長さ測定部と、
前記胴体の側面の厚さ方向の長さである第二長さを測定する第二長さ測定部と、
前記第一長さ測定部によって測定された第一長さ及び前記第二長さ測定部によって測定された第二長さから、前記胴体に含まれる体脂肪量を推定する体脂肪量推定部と、
を含む、体脂肪量推定装置。
【請求項１１】
対象の胴体を含む範囲を撮像する撮像部と、
前記撮像部によって撮像された画像に関する画像情報から前記胴体の正面の幅方向の長さである第一長さを測定する第一長さ測定部と、前記胴体の側面の厚さ方向の長さである第二長さを測定する第二長さ測定部と、前記第一長さ及び前記第二長さから、前記胴体に含まれる体脂肪量を推定する体脂肪量推定部と、を含む体脂肪量推定部と、
前記体脂肪量推定部による推定の結果を出力する出力部と、
を含む、体脂肪量推定システム。
【請求項１２】
前記胴体を写す位置に設置された鏡部材を備え、前記出力部は、前記鏡部に前記推定の結果を出力する、請求項１１に記載の体脂肪量推定システム。
【発明の詳細な説明】
【技術分野】
【０００１】
本発明は、体脂肪量推定方法、体脂肪量推定装置及び体脂肪量推定システムに関する。
【背景技術】
【０００２】
現在、成人病等を発症する可能性の指標として、腸の周囲、または腹腔内に溜まる内臓脂肪の量が使用されている。このため、内臓等に溜まった脂肪の量を日常的に測定することが、健康管理上望ましい。内臓脂肪の量を日常的に測定するため、医療機関等に行かずに個人が家庭等で自身の内臓脂肪を含む脂肪の量を測定できる機器が実用化されている。このような機器は、例えば、特許文献１に記載されている。特許文献１に記載の腹部断面積画像表示方法では、スマートフォン等に内蔵されているセンサで腹部の輪郭を検出し、輪郭の一部から算出された形状特徴に基づいて腹部の断面における内臓脂肪面積等を推定している。
【先行技術文献】
【特許文献】
【０００３】
【特許文献１】特開２０１５−１２６８３３号公報
【発明の概要】
【発明が解決しようとする課題】
【０００４】
しかしながら、上記輪郭の検出は、センサの角度や移動量を順に記録していって、記録された点を適宜補正し、繋ぎ合わせることによって行われる。スマートフォンのような板状の部材を自身の胴回りに当てる場合、一方の手に持ったスマートフォンの角度が検出の途中で変化する場合がある。この際、スマートフォン等を胴回りに当てる角度やその角度の変更の際の動きによって輪郭の検出精度が変化することが考えられる。検出精度の変化は、検出される輪郭のばらつきとなって表れる。日常的に行われる脂肪量の測定において、検出値がばらつくことは脂肪の継続的な変化の判断を誤らせるために好ましくない。
本発明は、日常的に被測定者自身が測定することに好適で、かつ、充分な推定の精度を得ることが可能な体脂肪量推定方法、体脂肪量推定装置及び体脂肪量推定システムに関する。
【課題を解決するための手段】
【０００５】
本発明の体脂肪量推定方法の一態様は、胴体の正面の幅方向の長さである第一長さを測定する第一長さ測定工程と、前記胴体の側面の厚さ方向の長さである第二長さを測定する第二長さ測定工程と、前記第一長さ及び前記第二長さから、前記胴体に含まれる体脂肪量を推定する体脂肪量推定工程と、を含む。
【発明の効果】
【０００６】
本発明は、日常的に被測定者自身が測定することに好適で、かつ、充分な推定の精度を得ることが可能な体脂肪量推定方法、体脂肪量推定装置及び体脂肪量推定システムを提供することができる。
【図面の簡単な説明】
【０００７】
【図１】本発明の一実施形態の体脂肪量推定装置を含む体脂肪量推定システムを説明するための図である。
【図２】図１に示した制御装置の機能ブロック図である。
【図３】本発明の一実施形態の体脂肪量推定方法を説明するためのフローチャートである。
【図４】本発明の一実施形態の幅方向と厚さ方向について説明するための図である。
【図５】図４に示した第一長さの１／２を長軸半径に、第二長さの１／２を短軸半径にした楕円を示した図である。
【図６】本発明の一実施形態が胴体の断面積を楕円として演算する根拠を説明するための図である。
【図７】本発明の一実施形態の効果を説明するための図である。
【発明を実施するための形態】
【０００８】
以下、本発明の実施形態を図面に基づいて説明する。尚、すべての図面において、同様の構成要素には同様の符号を付し、重複する説明は適宜省略する。
（体脂肪量推定装置、体脂肪量推定システム）
図１は、本発明の一実施形態の体脂肪量推定装置である制御装置１０５を含む体脂肪量推定システム１００を説明するための図である。図２は、図１に示した制御装置１０５の機能ブロック図である。
本実施形態の体脂肪量推定システム１００は、内臓脂肪及び皮下脂肪（以下、両者を合わせて「体脂肪」と記す）の量を推定する体脂肪量推定システムであって、体脂肪量の被推定者が自身で日常的に体脂肪量を測定することに好適なシステムである。体脂肪量推定システムは、被推定者の胴体の横断面を仮想し、この横断面において占める体脂肪の面積から体脂肪量を推定する。なお、本実施形態の横断面は、被推定者の臍のやや下部分において身長方向と直交する面である。
【０００９】
体脂肪量推定システム１００は、図１に示すように、対象である被推定者の胴体を含む範囲を撮像する撮像装置１０３、制御装置１０５及び出力装置１０７を備えている。制御装置１０５は、図２に示すように、撮像装置１０３によって撮像された画像に関する画像情報から胴体の正面の幅方向の長さである第一長さを測定し、胴体の側面の厚さ方向の長さである第二長さを測定する画像処理部３５と、第一長さ及び第二長さから、胴体に含まれる体脂肪量を推定する体脂肪量推定部３７と、を含んでいる。画像処理部３５は、本実施形態の第一長さ測定部及び第二長さ測定部として機能する。このような制御装置１０５は、本実施形態の体脂肪量推定装置として機能する。また、出力装置１０７には、制御装置１０５による推定の結果が出力される。
【００１０】
さらに、本実施形態の体脂肪量推定システム１００は、被推定者の胴体を写す位置に設置された鏡部材であるミラー１０１を備えている。出力装置１０７は、ミラー１０１に推定の結果を出力する。このようなミラー１０１は、体脂肪量推定システム１００において出力画面として機能する。
図１に示すように、ミラー１０１には、被推定者の像Ｍの他、日時１０１ａ、時刻１０１ｂ、温度等の気象情報１０１ｃ、身長等の体格情報１０１ｄ、脈拍１０１ｅ、腹囲に関する測定情報１０１ｆ、体温１０１ｇ等が表示される。
上記構成を実現するため、本実施形態のミラー１０１は、入射した光の一部を透過し、他の一部を反射する所謂ハーフミラーである。出力装置１０７は、ミラー１０１の被推定者に向かう表面に対する裏面において例えば液晶画面等の図示しない画面と画像を制御する図示しないドライバとを有している。ドライバによって日時１０１ａを画面に表示させると、表示された画像がミラー１０１を透過してミラー１０１の表面に表示される。
【００１１】
なお、本実施形態は、ミラー１０１に表示される画像が上記日時１０１ａから体温１０１ｇに限定されるものではない。例えば、体脂肪量の推定に使用される測定の手順をミラー１０１に表示させることにより、体脂肪量推定システムの被推定者の使い勝手が向上する。
さらに、本実施形態は、ミラー１０１を情報の表示機能を有するものに限定するものではない。ミラー１０１は、被推定者が自身の姿勢や撮像装置１０３に映る状態を確認できるものであれば、どのようなものであってもよい。
【００１２】
撮像装置１０３は、被推定者の胴体を含む範囲を撮像する機能を有するカメラである。本実施形態では、撮像装置１０３によって撮像される被推定者の像とミラー１０１に映った像Ｍとが一致することが好ましい。このため、撮像装置１０３は、被推定者に対してミラー１０１と同じ側から図示しないレンズを向けるように設置される。また、撮像装置１０３には、画像処理部３５が撮像装置１０３によって撮像された画像から被推定者の手の特定の位置を判別できる解像度が要求される。撮像装置１０３に要求される解像度等の性能は、画像処理部３５の性能との関係によって決定される。
【００１３】
制御装置１０５は、体脂肪量推定のための演算が実行できる機器であれば、どのようなものであってもよい。制御装置１０５として使用される機器としては、例えば、体脂肪量の推定に専用に構成されたものの他、汎用的なパーソナルコンピュータがある。制御装置１０５は、汎用的なパーソナルコンピュータ上で後述する体脂肪量推定方法のソフトウェアを実行させることによっても実現することができる。
【００１４】
［体脂肪量推定方法］
本実施形態の体脂肪量推定方法は、対象の胴体の正面の幅方向の長さである第一長さを測定する第一長さ測定工程と、胴体の側面の厚さ方向の長さである第二長さを測定する第二長さ測定工程と、第一長さ及び第二長さから、胴体に含まれる体脂肪量を推定する体脂肪量推定工程と、を含んでいる。さらに、本実施形態の体脂肪量推定方法は、胴体を含む範囲を撮像する撮像工程をさらに含み、第一長さ測定工程及び第二長さ測定工程は、撮像工程によって取得された画像に係る情報から第一長さまたは第二長さを測定する。このような本実施形態の体脂肪量推定方法は、図１に示した体脂肪量推定システム１００において実行される。
図３は、本実施形態の体脂肪量推定方法を説明するためのフローチャートである。以下、図３に示したフローチャートと共に、本実施形態の体脂肪量推定方法を説明する。
【００１５】
本実施形態の体脂肪量推定方法では、先ず、制御装置１０５のスイッチがオンされて（ステップＳ４０１）、処理が開始される。なお、本実施形態では、制御装置１０５がミラー１０１、撮像装置１０３及び出力装置１０７をも制御するものとする。例えば、制御装置１０５のオンにより、撮像装置１０３がミラー１０１の前に立った被推定者Ｅの撮像を開始する。
画像処理部３５は、被推定者の胴体の正面の幅方向の長さである第一長さを測定し、胴体の側面の厚さ方向の長さである第二長さを測定する。ここで、被推定者の胴体を臍に正対する方向から見た面を胴体の正面とする。そして、正面を基準にして、平面上において臍に正対する方向に直交する二方向からそれぞれ胴体を見た面をいずれも側面とし、正面に対する裏面を背面とする。
ここで、図４（ａ）及び図４（ｂ）を用い、「幅方向」と「厚さ方向」について説明する。図４（ａ）は、胴体Ｅｂの幅方向の第一長さＡを示した図である。図４（ｂ）は、胴体Ｅｂの厚さ方向の第二長さＢを示した図である。図４（ａ）及び図４（ｂ）は、被推定者Ｅが図１に示したミラー１０１の前に立った状態を示していて、図４（ａ）の被推定者Ｅは胴体Ｅｂの正面を図中に示した座標軸のＹ方向に向けて立っている。図４（ａ）の被推定者Ｅは胴体Ｅｂの正面を図中に示した座標軸のＸ方向に向けて立っている。
【００１６】
胴体の幅方向とは、身長方向（図中に示す座標軸のＺ方向）と直交する２軸（Ｘ方向、Ｙ方向）のうち、胴体の一方の側面（体側）から他方の側面（体側）に向かう方向（図中に示す座標軸のＸ方向）を指す。図４（ａ）に示した胴体の幅方向の第一長さＡは、胴図では胴体のＸ方向の長さである。なお、本実施形態でいうＸ方向は、−Ｘ方向であってもよい。
また、胴体の幅方向とは、身長方向（図中に示す座標軸のＺ方向）と直交する２軸（Ｘ方向、Ｙ方向）のうち、胴体の正面から背面に向かう方向を指す。この方向は、図４（ａ）ではＹ方向になる。図４（ｂ）では、被推定者が図４（ａ）に示した状態から９０度Ｙ−Ｘ方向に回転しているため、図４（ｂ）においては厚さ方向は座標軸のＸ方向に一致する。図４（ｂ）に示した胴体の厚さ方向の第二長さＢは、胴体Ｅｂの図中に示すＸ方向の長さである。なお、本実施形態でいうＸ方向は、−Ｘ方向であってもよい。
さらに、本実施形態では、図４（ａ）においても、図４（ｂ）においても被推定者Ｅが自身の手ＨＬ及び手ＨＲを自身の胴体Ｅｂに当てている。このようにすることにより、本実施形態では、着衣により被推定者Ｅの胴体Ｅｂの幅や厚さの境界が不明瞭になることを抑止し、後述するように、第一長さＡ及び第二長さＢの両端を明確にしている。
【００１７】
（撮像工程）
本実施形態の体脂肪量推定方法は、胴体を含む範囲を撮像する撮像工程を含む。そして、図１に示した画像処理部３５は、第一長さ測定工程及び第二長さ測定工程において、撮像工程によって取得された画像に係る情報から第一長さまたは第二長さを測定する。すなわち、本実施形態では、撮像装置１０３が図４（ａ）、図４（ｂ）に示した被推定者Ｅの胴体Ｅｂを含む範囲をそれぞれ撮像する（ステップＳ４０２）。撮像によって生成された画像の画像情報Ｐは、図２に示すように、制御装置１０５の画像処理部３５に入力する。なお、本実施形態では、撮像によって生成された画像を動画像とする。
測定の際、本実施形態では、被推定者Ｅが撮像装置１０３に対して常に一定の距離をとるようにミラー１０１の前に被推定者Ｅの立ち位置を示すマークを付しておくものであってもよい。マークは、直線、円及び靴裏を模したイラスト等、被推定者Ｅが撮像にあたりどの位置に立ったら良いか分かるものであればどのようなものであってもよい。また、本実施形態は、例えば赤外センサ等を測距センサとして用い、被推定者Ｅの位置を被推定者Ｅに対して指示するものであってもよいし、指示をミラー１０１に表示することによって行ってもよい。さらに、本実施形態は、撮像によって得られた画像の大きさを制御装置１０５において実物大に補正する処理を行うものであってもよい。
【００１８】
（第一長さ測定工程及び第二長さ測定工程）
画像処理部３５は、図３に示したように、画像情報Ｐから第一長さＡ及び第二長さＢを測定する（ステップＳ４０３）。
以下、本実施形態の具体的な測定の一例について説明する。
本実施形態では、第一長さ測定工程及び第二長さ測定工程において、複数の当接部材の二点間の間隔を測定することによって第一長さＡ及び第二長さＢを測定する。本実施形態では、当接部材を体脂肪量推定工程において体脂肪量が推定される被推定者Ｅの一対の手とし、一対の手の特定の部分間の間隔を測定している。
より具体的には、本実施形態は、図４に示したように、被推定者Ｅが自身の胴体Ｅｂに手を当てている。本実施形態では、手ＨＲ、手ＨＬの特定の位置を画像処理部３５が撮像画像から認識し、手ＨＲの特定の位置と手ＨＬの特定の位置との間隔を第一長さＡ及び第二長さＢの長さの始端と終端としている。
【００１９】
このような処理を実現するため、例えば、本実施形態では、手ＨＲの特定の位置及び手ＨＬの特定の位置を、親指と人差し指との間の一点を手首方向に延ばした直線が通る橈骨茎状突起の位置とする。このようにした場合、本実施形態では、撮像工程に先立って、ミラー１０１の前に立った被推定者Ｅが両手を横方向に広げて手首を撮像装置１０３が撮像できるようにする。制御装置１０５は、撮像によって得られる動画像から手首の橈骨茎状突起の位置を略リアルタイムで検出する。続いて、被推定者Ｅは手ＨＬ、手ＨＲを自身の臍の少し下を通る線の両端に合わせてそれぞれ腰の両側に置く。制御装置１０５は、先に認識した橈骨茎状突起の位置の動きを追って腰に置かれた手ＨＬ、手ＨＲの橈骨茎状突起の位置をそれぞれ認識し、この間隔を第一長さＡまたは第二長さＢとする。
【００２０】
なお、上記処理において、制御装置１０５が橈骨茎状突起の位置を認識できなかった場合等、第一長さＡ及び第二長さＢの長さ取得に失敗した場合、制御装置１０５は再度画像を取得して第一長さＡ及び第二長さＢを取得するようにしてもよい。さらに、本実施形態は、第一長さＡ及び第二長さＢの長さ取得に失敗した旨をミラー１０１に表示し、第一長さＡ及び第二長さＢの長さの取得を再度行うことを被推定者Ｅに通知してもよい。
また、上記処理においては、第一長さＡ、第二長さＢの実測値よりもその変化の方が重要であり、例え橈骨茎状突起の位置の誤判定（手のうちの他の個所を橈骨茎状突起と判定する）が起こったとしても、この誤判定が毎回同様に生じるものであれば問題にならないことが考えられる。さらに、本実施形態は、被測定者の着衣についてＴシャツ等の薄い着衣であるか、ジャケット等の厚い着衣であるかを判定し、着衣の厚さに応じて取得した長さを適宜補正するものであってもよい。
【００２１】
また、本実施形態の第一長さ測定工程及び第二長さ測定工程は、上記したものに限定されるものではない。例えば、本実施形態の当接部材は、被推定者Ｅの手に限定されるものでなく、胴体Ｅｂを挟み込む冶具等であってもよいし、被推定者Ｅが胴体Ｅｂの一方を壁面に寄り掛からせて、他方を他の部材（手を含む）に押し当てるものであってもよい。また、本実施形態は、二つの当接部材を一対として使用するものに限定されるものではない。例えば、一つのベルト状の部材を胴体Ｅｂの周囲に巻き回し、胴体Ｅｂに当接しているベルト部材の二点間の間隔を測定するものであってもよい。
さらに、本実施形態は、第一長さＡ、第二長さＢの両方を、当接部材を使って測定するものに限定されるものではない。例えば、胴体Ｅｂの幅方向の長さは胴体Ｅｂの両側に腕があって胴体Ｅｂの端部の境界が判別し難いことから当接部材を用いてもよい。そして、Ｅｂの側面においては腕が胴体Ｅｂと重なるために胴体Ｅｂの境界が判別し易いとして当接部材を用いなくてもよい。
【００２２】
（体脂肪量推定工程）
また、本実施形態の体脂肪量推定方法は、第一長さＡ及び第二長さＢから、胴体Ｅｂに含まれる体脂肪量を推定する（ステップＳ４０４）。
ステップＳ４０４における体脂肪量の推定は、第一長さＡ、第二長さＢ及び第一長さＡまたは第二長さＢに基づくパラメータの少なくとも一つと、体脂肪量と、の関係を示す関係情報から体脂肪量を推定する。ここで、第二長さＢ及び第一長さＡまたは第二長さＢに基づくパラメータは、第一長さＡや第二長さＢそのものではなく、第一長さＡまたは第二長さＢを使って算出されたパラメータを指している。本実施形態では、体脂肪量を、腹部の断面積中に占める体脂肪の断面積で表している。また、パラメータとしては、例えば、腹囲の周長等が考えられる。
【００２３】
また、関係情報は、第一長さＡ及び第二長さＢや上記パラメータと体脂肪量との関係を示す演算式やテーブル等が考えられる。演算式は、第一長さＡ及び第二長さＢまたはパラメータを変数として体脂肪量が得られる関数であればどのようなものであってもよい。本実施形態では、例えば、演算式を、胴体Ｅｂの幅方向と平行な断面積の形状を、長軸の長さが第一長さＡ、短軸の長さが第二長さＢの楕円であるとして体脂肪量を算出する演算式を決定する。
図５は、第一長さＡの１／２を長軸に、第二長さＢの１／２を短軸にした楕円を示した図である。図５に示した楕円の面積Ｓは、以下の式（１）によって算出される。体脂肪量推定工程では、体脂肪量推定部３７が、演算式に第一長さＡ及び第二長さＢまたはパラメータを代入して体脂肪量を算出する。
【数１】
2018198800.tif 000003
【００２４】
図６（ａ）から図６（ｅ）は、胴体Ｅｂの断面積を楕円として演算する根拠を説明するための図であり、いずれもＣＴスキャンによって撮影した人体の腹部の断面を示している。図６（ａ）から図６（ｅ）のいずれにあっても、腹部の断面からは皮下脂肪Ｅ、内臓及び筋肉Ｃ、内臓脂肪Ｄ及び脊椎Ｆが認められる。図６によれば、図６（ａ）から図６（ｅ）に向かうにしたがって内蔵脂肪及び皮下脂肪（体脂肪）の量が増加していて、体脂肪の量の増加と共に断面積が大きくなっていることが分かる。そして、体脂肪が増加するにしたがって、断面の形状は楕円の短軸が長くなり、楕円から円に近づいていくことが分かる。本実施形態では、体脂肪の量を示す一例として、腹部の断面積のうち内臓、骨、筋肉等が占める面積を差し引いた面積を体脂肪の面積とすることもできる。このとき、人体の内臓や骨の断面積は体格によらず略一定であるとし、筋肉量は平均的な値であるとする。
なお、本実施形態は、上記したように、体脂肪量を腹部の断面において占める面積によって示すことに限定されるものでなく、例えば、体脂肪の重量や複数のレベル等で示すものであってもよい。
【００２５】
次に、本実施形態の関係情報をテーブルとした例について説明する。テーブルは、第一長さＡ、第二長さＢ、及び第一長さまたは第二長さに基づくパラメータの少なくとも一つと、体脂肪量とを対応付けるテーブルであれば、どのようなものであってもよい。本実施形態では、体脂肪量を、腹部の断面積中に占める体脂肪の断面積で表している。また、パラメータとしては、例えば、腹囲の周長等が考えられる。体脂肪量推定工程では、体脂肪量推定部３７が、テーブルに第一長さＡ及び第二長さＢまたはパラメータを対照して体脂肪量を取得する。
【００２６】
表１は、本実施形態のテーブルを例示するものである。表１は、第一長さＡ及び第二長さＢと、腹部の断面積中に占める体脂肪の横断面積Ｓｄとを対応付けている。表１に示したテーブルは、予め第一長さＡ、第二長さＢとして想定される数値範囲を第一長さＡ、第二長さＢを測定精度に応じて多段階に分割し、各段階の第一長さＡ及び第二長さＢの対に体脂肪の横断面積Ｓｄを対応付けている。このような表１のテーブルは、予め複数の被推定者について第一長さＡ及び第二長さＢを測定し、この被推定者の体脂肪量を示す断面積をＣＴスキャン等の方法によって測定することによって作成される。体脂肪量推定部３７は、画像処理部３５によって測定された第一長さＡ及び第二長さＢを受け取り、第一長さＡ及び第二長さＢに対応する横断面積Ｓｄを特定する。そして、特定された横断面積Ｓｄを出力装置１０７に出力する（ステップＳ４０５）。出力装置１０７は、横断面積Ｓｄを示す情報を含むテキストや図画を含む画像を生成し、ミラー１０１に表示させる。
【表１】
2018198800.tif 000004
【００２７】
（周長推定工程）
ところで、現在、メタボリックシンドロームの指標として、高脂血症、高血糖症、高血圧と共に腹囲の周長が使用されている。このため、本実施形態では、体脂肪量推定工程が、第一長さＡ及び第二長さＢから、胴体の周長Ｌを推定する周長推定工程をさらに含むようにした。
楕円の円周は、以下の式（２）によって表される。
【数２】
2018198800.tif 000005
【００２８】
Ｂ＞Ａの条件の下、上記式（２）の近似式は、以下の式（３）のように表される。
【数３】
2018198800.tif 000006
【００２９】
本実施形態は、複数の被推定者について第一長さＡ及び第二長さＢを測定し、第一長さＡ及び第二長さＢを使って周長Ｌを算出する。そして、同じ被推定者に対してＣＴスキャン等を行い、腹部の横断面積に占める体脂肪の横断面積Ｓｄを観察する。さらに、周長Ｌと横断面積Ｓｄとを対応付けてテーブルを作成してもよい。このようなテーブルの一例を表２に示す。表２においては、第一長さＡ、第二長さＢは記録されておらず、周長Ｌと横断面積Ｓｄとを直接対応付けている。表２に示したテーブルは、第一長さＡまたは第二長さに基づくパラメータと体脂肪量とを対応付けるテーブルの一例である。
【表２】
2018198800.tif 000007
【００３０】
本実施形態は、体脂肪量推定部３７が、画像処理部３５が測定した第一長さＡ、第二長さＢを受け取って、第一長さＡ及び第二長さＢを上記した近似式に代入して楕円の円周（周長）を算出する。そして、算出された周長Ｌを被推定者の腹囲の周長として出力装置１０７に出力する。出力装置１０７は、周長Ｌを示す情報を含むテキストや図画を含む画像を生成し、ミラー１０１に表示させる。
なお、本実施形態は、体脂肪量推定部３７が横断面積Ｓｄや周長Ｌを出力装置１０７に出力してミラー１０１に表示する構成に限定されるものではない。横断面積Ｓｄや周長Ｌは、例えば、図示しないプリンタに出力されて印字されるものであってもよい。また、横断面積Ｓｄや周長Ｌは、図示しないスピーカーに出力されて音声により被推定者に通知されるものであってもよい。
【００３１】
図７は、以上説明した本実施形態の効果を説明するための図である。図７の縦軸は図６に示したＣＴスキャンによって得られた複数の被推定者の内臓脂肪の面積を示し、横軸は本実施形態で得られた同じ被推定者の胴体の横断面積Ｓｄ（図７中では「腹囲断面積」と記す）を示している。図７から明らかなように、本実施形態によって得られる胴体の横断面積Ｓｄは、ＣＴスキャンによって得られた内臓脂肪の面積と０．８０の高い相関を有している。また、図７に示したプロットから最小二乗法を使って得られる直線ｙは、
ｙ＝０．２８６ｘ−４７．０６９...（４）
として表すことができる。
このような本実施形態によれば、例えば上記「ｙ」を求める演算式を体脂肪量推定部３７に記憶させておき、測定された第一長さＡ及び第二長さＢから楕円の断面積を求め、この断面積を式（４）に代入して被推定者の内臓脂肪の面積を求めることができる。
ただし、本実施形態は、体脂肪のうち、内臓脂肪の量を推定することに限定されるものではない。例えば、図６に示したＣＴスキャンの画像から皮下脂肪の量あるいは体脂肪の総量を求め、皮下脂肪の量や体脂肪の量と本実施形態で得られる楕円の面積との関係を表す式を体脂肪量推定部３７に記憶させておくこともできる。このようにすれば、本実施形態は、皮下脂肪量や体脂肪量を推定することができる。
【００３２】
以上説明した本実施形態の体脂肪量推定方法、体脂肪量推定装置及び体脂肪量推定システムは、被推定者がミラー１０１の前に立つだけで第一長さＡ及び第二長さＢを測定することができる。また、第一長さＡ及び第二長さＢの測定に当たって被推定者が着衣を脱ぐ必要がない。このため、本実施形態の体脂肪量推定方法、体脂肪量推定装置及び体脂肪量推定システムは、被推定者が簡易に自身で体脂肪量の推定値を得ることができる。このような本実施形態は、被推定者が継続して自身の体脂肪量の推定値を得てその経過を観測することができるので、健康管理に有効である。さらに、本実施形態は、第一長さＡ及び第二長さＢの長さの測定というばらつきの少ない計測によって体脂肪量を推定することができるので、得られる体脂肪量の推定値のばらつきが少ない。したがって、本発明は、信頼性の高い体脂肪量の推定値を得ることができる。
以上説明したように、本実施形態は、日常的に被測定者自身が測定することに好適で、かつ、充分な推定の精度を得ることが可能な体脂肪量推定方法、体脂肪量推定装置及び体脂肪量推定システムを提供することができる。
【００３３】
上記実施形態および実施例は以下の技術思想を包含するものである。
＜１＞  対象の胴体の正面の幅方向の長さである第一長さを測定する第一長さ測定工程と、前記胴体の側面の厚さ方向の長さである第二長さを測定する第二長さ測定工程と、前記第一長さ及び前記第二長さから、前記胴体に含まれる体脂肪量を推定する体脂肪量推定工程と、を含む、体脂肪量推定方法。
＜２＞  前記第一長さ測定工程及び前記第二長さ測定工程の少なくとも一方は、前記胴体に当接する一または複数の当接部材の二点間の間隔を測定する、＜１＞の体脂肪量推定方法。
＜３＞  前記当接部材が前記体脂肪量推定工程において体脂肪量が推定される前記対象の一対の手であり、前記第一長さ測定工程及び前記第二長さ測定工程は、前記一対の手の特定の部分間の間隔を測定する、＜２＞の体脂肪量推定方法。
＜４＞  前記胴体を含む範囲を撮像する撮像工程をさらに含み、前記第一長さ測定工程及び前記第二長さ測定工程は、前記撮像工程によって取得された画像に係る情報から前記第一長さまたは前記第二長さを測定する、＜１＞から＜３＞のいずれか一つの体脂肪量推定方法。
＜５＞  前記体脂肪量推定工程は、前記第一長さ、前記第二長さ、及び前記第一長さまたは前記第二長さに基づくパラメータの少なくとも一つと、体脂肪量と、の関係を示す関係情報から前記体脂肪量を推定する、＜１＞から＜４＞のいずれか一つの体脂肪量推定方法。
＜６＞  前記関係情報は、予め定められた演算式であり、前記体脂肪量推定工程は、前記第一長さ、前記第二長さ、及び前記第一長さまたは前記第二長さに基づくパラメータの少なくとも一つを、前記演算式に代入する、＜５＞の体脂肪量推定方法。
＜７＞  前記演算式は、前記胴体の前記幅方向と平行な断面積の形状を、長軸の長さが前記第一長さ、短軸の長さが前記第二長さの楕円であるとして前記体脂肪量を算出する式である、＜６＞の体脂肪量推定方法。
＜８＞  前記関係情報は、前記第一長さ、前記第二長さ、及び前記第一長さまたは前記第二長さに基づくパラメータの少なくとも一つと、体脂肪量とを対応付けるテーブルであり、前記体脂肪量推定工程は、前記第一長さ、前記第二長さ、及び前記第一長さまたは前記第二長さに基づくパラメータの少なくとも一つを、前記テーブルに対照する、＜５＞の体脂肪量推定方法。
＜９＞  前記体脂肪量推定工程は、前記第一長さ及び前記第二長さから、前記胴体の周長を推定する周長推定工程をさらに含む、＜１＞から＜８＞のいずれか一つの体脂肪量推定方法。
＜１０＞
対象の胴体の正面の幅方向の長さである第一長さを測定する第一長さ測定部と、前記胴体の側面の厚さ方向の長さである第二長さを測定する第二長さ測定部と、前記第一長さ測定部によって測定された第一長さ及び前記第二長さ測定部によって測定された第二長さから、前記胴体に含まれる体脂肪量を推定する体脂肪量推定部と、を含む、体脂肪量推定装置。
＜１１＞  対象の胴体を含む範囲を撮像する撮像部と、前記撮像部によって撮像された画像に関する画像情報から前記胴体の正面の幅方向の長さである第一長さを測定する第一長さ測定部と、前記胴体の側面の厚さ方向の長さである第二長さを測定する第二長さ測定部と、前記第一長さ及び前記第二長さから、前記胴体に含まれる体脂肪量を推定する体脂肪量推定部と、を含む体脂肪量推定部と、前記体脂肪量推定部による推定の結果を出力する出力部と、を含む、体脂肪量推定システム。
＜１２＞  前記胴体を写す位置に設置された鏡部材を備え、前記出力部は、前記鏡部に前記推定の結果を出力する、＜１１＞の体脂肪量推定システム。
【符号の説明】
【００３４】
３５・・・画像処理部
３７・・・体脂肪量推定部
１００・・・体脂肪量推定システム
１０１・・・ミラー
１０１ａ・・・日時
１０１ｂ・・・時刻
１０１ｃ・・・気象情報
１０１ｄ・・・体格情報
１０１ｅ・・・脈拍
１０１ｆ・・・測定情報
１０１ｇ・・・体温
１０３・・・撮像装置
１０５・・・制御装置
１０７・・・出力装置
【図１】
2018198800.tif 000008
【図２】
2018198800.tif 000009
【図３】
2018198800.tif 000010
【図４】
2018198800.tif 000011
【図５】
2018198800.tif 000012
【図６】
2018198800.tif 000013
【図７】
2018198800.tif 000014